(57)【要約】【課題】ＡＳＫ／ＱＰＳＫ変復調器を切り換えて通信を行う装置において、送信部回路の簡素化と受信信号を受信してから送信までの時間短縮を図る。【解決手段】受信部にＡＳＫ信号検出器２４を設け、ＡＳＫ信号を検出した場合はＡＳＫ信号検出フラグを立てる。また、送信部のＱＰＳＫ変調器２０の出力に直列にＡＳＫ変調器１７を設け、これらを変調切換器１６によりＡＳＫ信号検出フラグに基づいて切り換える。これにより、復調前のＡＳＫ信号を検出して復調器を切り換えるので、受信してから送信までの時間を短縮できる。また、受信部からのＡＳＫ信号検出フラグに基づいて送信部の切換器を動作させて変調器を切り換えるので、従来よりも切換器の数を少なくでき、回路の簡素化を図ることができる。【選択図】  図１
2004254159.tif 000002
【特許請求の範囲】
【請求項１】
ＡＳＫ変調方式とＱＰＳＫ変調方式とを切り換えて無線通信を行う無線装置において、送信信号をＱＰＳＫ変調するＱＰＳＫ変調器と、前記ＱＰＳＫ変調器の出力側に直列に接続されて送信信号をＡＳＫ変調するＡＳＫ変調器と、前記ＱＰＳＫ変調器の入力側に接続されて前記それぞれの送信信号を前記ＱＰＳＫ変調器側または前記ＡＳＫ変調器側に切り換える切換器とを備えた無線装置。
【請求項２】
ＡＳＫ変調方式とＱＰＳＫ変調方式とを切り換えて無線通信を行う無線装置において、受信部の中間周波増幅器の出力側に並列に接続されたＡＳＫ復調器およびＱＰＳＫ復調器と、受信した信号からＡＳＫ信号を検出するＡＳＫ信号検出器とを備え、受信信号がＡＳＫ変調方式の場合に前記ＡＳＫ信号検出器からＡＳＫ信号検出フラグを出力し、前記ＡＳＫ信号検出フラグに基づいて送信部における変調方式をＡＳＫ変調方式に切り換えることを特徴とする無線装置。
【請求項３】
ＡＳＫ変調方式とＱＰＳＫ変調方式とを切り換えて無線通信を行う無線装置において、受信部に、中間周波増幅器の出力側に並列に接続されたＡＳＫ復調器およびＱＰＳＫ復調器と、受信した信号からＡＳＫ信号を検出するＡＳＫ信号検出器とを備え、受信信号がＡＳＫ変調方式の場合に前記ＡＳＫ信号検出器からＡＳＫ信号検出フラグを出力し、送信部に、送信信号をＱＰＳＫ変調するＱＰＳＫ変調器と、前記ＱＰＳＫ変調器の出力側に直列に接続されて送信信号をＡＳＫ変調するＡＳＫ変調器と、前記ＱＰＳＫ変調器の入力側に接続されて前記それぞれの送信信号を前記ＡＳＫ信号検出フラグに基づいて前記ＱＰＳＫ変調器側または前記ＡＳＫ変調器側に切り換える切換器とを備えた無線装置。
【発明の詳細な説明】
【０００１】
【発明の属する技術分野】
本発明は、ＡＳＫ変調方式とＱＰＳＫ変調方式とを切り換えて通信を行う無線装置に関する。
【０００２】
【従来の技術】
従来、ＡＳＫ変調とＰＳＫ変調とを用いて路側装置と通信を行う車載装置が提案されている（例えば、特許文献１参照）。図３は従来のこの種の車載用の無線装置の構成を示している。図３において、アンテナ１で受信した信号は、送受信切換器２によりダウンコンバータ３に入力される。ダウンコンバータ３には、チャンネル切換信号端子１１から入力された周波数を指示する信号に基づき、第１ローカル発振器１２から出力されたローカル周波数が周波数切換器１３を介して入力される。したがって、ダウンコンバータ３に入力された受信信号は、このローカル周波数と混合されることにより中間周波数に変換され、ＡＳＫ復調器４とＱＰＳＫ復調器６に入力される。受信した信号がＡＳＫ変調波である場合、ＡＳＫ復調器４で復調された信号は、復調切換器８を介して復調データ出力端子９に出力される。また、受信した信号がＱＰＳＫ変調波である場合は、第２ローカル発振器５からの０度と９０度の位相差を持つ２出力をＱＰＳＫ復調器６に入力して復調し、その復調出力をＰ／Ｓ変換器７によりシリアルデータに変換し、復調切換器８を介して復調データ出力端子９から出力する。復調切換器８の切り換えは、制御部から復調切換信号端子１０に送られてきた制御信号により行われる。
【０００３】
一方、送信側においては、受信した信号の変調方式に応じて送信用変調器を切り替える。すなわち、変調データ入力端子１５から入力された送信信号をＡＳＫ変調方式で変調する場合は、送信信号を変調切換器１６を介してＡＳＫ変調器１７に入力し、ＡＳＫ変調された信号を変調切換器２１を介してアップコンバータ２２に入力する。アップコンバータ２２では、ＡＳＫ変調信号を第１ローカル発振器１２から周波数切換器１３を介して入力された搬送周波数で周波数変調し、送受信切換器２を介してアンテナ１から送信する。第１ローカル発振器１２は、チャンネル切換信号端子１１から入力された制御信号により周波数設定を行う。またＱＰＳＫ変調方式で送信する場合は、変調データ入力端子１５から入力されたシリアルデータをＳ／Ｐ変換器１９によりパラレルデータに変換し、その出力をＱＰＳＫ変調器２０において変調ローカル発振器１８からの０度と９０度位相差を持つ２出力によりＱＰＳＫ変調し、この直交変調された送信信号を、変調切換器２１を介して同様に第１ローカル発振器１２からの搬送周波数によりアップコンバータ２２で周波数変調し、送受切換器２を介してアンテナ１から送信する。変調切換器１６および変調切換器２１の切り換えは、制御部から変調切換信号端子１４に送られてきた制御信号により行われ、周波数切換器１３および送受信切換器２の切り換えは、同様に制御部から送受切換信号端子２３に送られてきた制御信号により行われる。
【０００４】
【特許文献１】
特開２００２−２１６１７８号公報
【０００５】
【発明が解決しようとする課題】
しかしながら、上記従来の車載無線装置においては、送信部で送信信号をＡＳＫ変調方式で送信するか、ＱＰＳＫ方式で送信するかを、受信部におけるＡＳＫ復調データを基に、送信部の変調切換器１６および変調切換器２１を切り換えることにより行うため、送信部の回路構成が大きくなり、コスト高となるという問題があった。また、受信信号を受信してから復調器を切り換えて復調データを出力した後に、その復調データに基づいて送信変調器を切り換えて送信するため、受信してから送信までに多くの時間を要するという問題を有していた。
【０００６】
本発明は、このような従来の問題を解決するもので、送信部の簡素化と、受信してから送信までの時間短縮を図ることのできる無線装置を提供することを目的とする。
【０００７】
【課題を解決するための手段】
上記目的を達成するために、本発明の無線装置は、ＡＳＫ変調方式とＱＰＳＫ変調方式とを切り換えて無線通信を行う無線装置において、送信信号をＱＰＳＫ変調するＱＰＳＫ変調器と、前記ＱＰＳＫ変調器の出力側に直列に接続されて送信信号をＡＳＫ変調するＡＳＫ変調器と、前記ＱＰＳＫ変調器の入力側に接続されて前記それぞれの送信信号を前記ＱＰＳＫ変調器側または前記ＡＳＫ変調器側に切り換える切換器とを備えた構成を有する。この構成により、送信信号をＡＳＫ変調する場合には、受信部からのＡＳＫ復調信号により切換器がＡＳＫ変調器側に切り換えられているので、ＱＰＳＫ変調はかからず、従来よりも切換器が１つ少ない構成で、ＡＳＫ変調方式とＱＰＳＫ変調方式とを切り換えることができる。
【０００８】
また、本発明の無線装置は、ＡＳＫ変調方式とＱＰＳＫ変調方式とを切り換えて無線通信を行う無線装置において、受信部の中間周波増幅器の出力側に並列に接続されたＡＳＫ復調器およびＱＰＳＫ復調器と、受信した信号からＡＳＫ信号を検出するＡＳＫ信号検出器とを備え、受信信号がＡＳＫ変調方式の場合に前記ＡＳＫ信号検出器からＡＳＫ信号検出フラグを出力し、前記ＡＳＫ信号検出フラグに基づいて送信部における変調方式をＡＳＫ変調方式に切り換えることを特徴とするものであり、この構成により、受信部におけるＡＳＫ復調データを利用して送信部における復調器を切り換えるのではなく、復調前のＡＳＫ信号を検出して復調器を切り換えるので、受信してから送信までの時間を短縮することができる。
【０００９】
また、本発明の無線装置は、ＡＳＫ変調方式とＱＰＳＫ変調方式とを切り換えて無線通信を行う無線装置において、受信部に、中間周波増幅器の出力側に並列に接続されたＡＳＫ復調器およびＱＰＳＫ復調器と、受信した信号からＡＳＫ信号を検出するＡＳＫ信号検出器とを備え、受信信号がＡＳＫ変調方式の場合に前記ＡＳＫ信号検出器からＡＳＫ信号検出フラグを出力し、送信部に、送信信号をＱＰＳＫ変調するＱＰＳＫ変調器と、前記ＱＰＳＫ変調器の出力側に直列に接続されて送信信号をＡＳＫ変調するＡＳＫ変調器と、前記ＱＰＳＫ変調器の入力側に接続されて、前記それぞれの送信信号を前記ＡＳＫ信号検出フラグに基づいて前記ＱＰＳＫ変調器側または前記ＡＳＫ変調器側に切り換える切換器とを備えたものである。この構成により、受信部におけるＡＳＫ復調データを利用して送信部における復調器を切り換えるのではなく、復調前のＡＳＫ信号を検出して復調器を切り換えるので、受信してから送信までの時間を短縮することができる。また、受信部からのＡＳＫ信号検出フラグに基づいて送信部の切換器を動作させて変調器を切り換えるので、従来よりも切換器が１つ少ない構成で、ＡＳＫ変調方式とＱＰＳＫ変調方式とを切り換えることができる。
【００１０】
【発明の実施の形態】
以下、本発明の実施の形態について図面を用いて説明する。
（実施の形態１）
図１は本発明の実施の形態１における車載無線装置の構成を示している。図３に示した従来例と異なるのは、変調部の構成であり、ＱＰＳＫ変調器２０の出力側にＡＳＫ変調器１７が直列に接続され、これらＱＰＳＫ変調器２０とＡＳＫ変調器１７とを変調切換器１６により切り換えるように構成されている。したがって、図３に示す従来例における変調切換器２１が省略された構成になっている。他の構成は図３に示した従来例と同じなので、構成についての重複した説明は省略する。
【００１１】
次に本実施の形態１における動作について説明する。アンテナ１から受信した信号を、送受信切換器２を介してダウンコンバータ３に入力し、第１ローカル発振器１２からのローカル信号とダウンコンバータ３で混合して中間周波数に変換し、ＡＳＫ復調器４またはＱＰＳＫ復調器６でそれぞれ復調してデータを出力するまでの動作は従来例と同じである。送信側においては、変調データ入力端子１５から入力された送信信号を、変調切換信号端子１４に入力されたＡＳＫ復調信号により変調切換器１６を切り換えて、ＡＳＫ変調器１７側またはＱＰＳＫ変調器１９側に接続する。すなわち、ＡＳＫ変調する場合は、変調切換信号端子１４に入力されたＡＳＫ復調信号により変調切換器１６をＡＳＫ変調器１７側に切り換えるので、変調データ入力端子１５に入力された送信信号は、ＡＳＫ変調器１７でＡＳＫ変調されて送信される。ＱＰＳＫ変調する場合は、変調切換信号端子１４にはＡＳＫ復調信号が入力されないので、変調切換器１６はＳ／Ｐ変換器１９側に接続されたままであり、変調データ入力端子１５に入力された送信信号は、Ｓ／Ｐ変換器１９でパラレルデータに変換された後にＱＰＳＫ変調器２０でＱＰＳＫ変調されて送信される。
【００１２】
このように、本実施の形態１によれば、ＱＰＳＫ変調器２０の出力側にＡＳＫ変調器１７を直列に接続し、これらＱＰＳＫ変調器２０とＡＳＫ変調器１７とを、受信部からのＡＳＫ復調信号により変調切換器１６をＡＳＫ変調器１７側に切り換えるようにしたので、従来よりも切換器が１つ少ない構成で、ＡＳＫ変調方式とＱＰＳＫ変調方式とを切り換えることができる。
【００１３】
（実施の形態２）
図２は本発明の実施の形態２における車載無線装置の構成を示している。図１に示した実施の形態１と異なるのは、復調部の構成であり、ダウンコンバータ３の中間周波増幅器３ａの出力側には、ＡＳＫ復調器４とＱＰＳＫ復調器６が並列に接続されるとともに、受信した信号からＡＳＫ信号を検出するＡＳＫ信号検出器２４が接続されている。受信信号がＡＳＫ変調方式の場合、ＡＳＫ信号検出器２４は、中間周波増幅器３ａの出力からＡＳＫ信号を検出すると、ＡＳＫ信号検出フラグをＡＳＫ信号検出出力端子２６に出力する。中間周波増幅器３ａの出力からＡＳＫ復調器４で復調されたデータは、ＡＳＫ復調データ出力端子２５に出力され、中間周波増幅器３ａの出力からＱＰＳＫ復調器６で復調されたデータは、Ｐ／Ｓ変換器７でシリアルデータに変換された後、ＱＰＳＫ復調データ出力端子２７に出力される。
【００１４】
次に本実施の形態２における動作について説明する。アンテナ１から受信した信号を、送受信切換器２を介してダウンコンバータ３に入力し、第１ローカル発振器１２からのローカル信号とダウンコンバータ３で混合して中間周波数に変換し、中間周波増幅器３ａで増幅する。増幅された中間周波信号からＡＳＫ復調器４またはＱＰＳＫ復調器６でそれぞれ復調して、それぞれＡＳＫ復調データ出力端子２５またはＱＰＳＫ復調データ端子２７に出力する。また、中間周波増幅器３ａの出力からＡＳＫ信号検出器２４がＡＳＫ信号を検出した場合は、ＡＳＫ信号検出フラグをＡＳＫ信号検出出力端子２６に出力する。送信側においては、変調データ入力端子１５から入力された送信信号を、変調切換信号端子１４に入力されたＡＳＫ信号検出フラグにより変調切換器１６を切り換えて、ＡＳＫ変調器１７側またはＱＰＳＫ変調器１９側に接続する。すなわち、ＡＳＫ変調する場合は、変調切換信号端子１４に入力されたＡＳＫ信号検出フラグにより変調切換器１６をＡＳＫ変調器１７側に切り換えるので、変調データ入力端子１５に入力された送信信号は、ＡＳＫ変調器１７でＡＳＫ変調されて送信される。ＱＰＳＫ変調する場合は、変調切換信号端子１４にはＡＳＫ信号検出フラグが入力されないので、変調切換器１６はＳ／Ｐ変換器１９側に接続されたままであり、変調データ入力端子１５に入力された送信信号は、Ｓ／Ｐ変換器１９でパラレルデータに変換された後にＱＰＳＫ変調器２０でＱＰＳＫ変調されて送信される。
【００１５】
このように、本実施の形態２によれば、受信部の中間周波増幅器３ａの出力側に並列に接続されたＡＳＫ復調器４およびＱＰＳＫ復調器６と、中間周波増幅器３ａの出力からＡＳＫ信号を検出するＡＳＫ信号検出器２４とを備え、受信した信号の中からＡＳＫ信号を検出した場合は、ＡＳＫ信号検出器２４からＡＳＫ信号検出フラグを出力するとともに、送信部のＱＰＳＫ変調器２０の出力側にＡＳＫ変調器１７を直列に接続し、これらＱＰＳＫ変調器２０とＡＳＫ変調器１７とを、受信部からのＡＳＫ信号検出フラグに基づいて変調切換器１６により切り換えるようにしたので、復調前のＡＳＫ信号を検出して復調器を切り換えるので、受信してから送信までの時間を短縮することができ、また、従来よりも切換器が１つ少ない構成で、ＡＳＫ変調方式とＱＰＳＫ変調方式とを切り換えることができる。
【００１６】
なお、上記した実施の形態においては、ＡＳＫ信号検出器２４が中間周波増幅器３ａの出力からＡＳＫ信号を検出しているが、ＡＳＫ信号検出はこの実施態様に限定されることはない。例えば、ＡＳＫ変調方式を利用する自動料金収受のための無線通信とＱＰＳＫ方式を利用する移動体通信とでは、使用する周波数帯域が異なるので、受信した周波数帯域を検出することによりＡＳＫ信号を検出することができる。
【００１７】
また、上記実施の形態は、本発明を車載用の無線装置として説明したが、本発明の無線装置は車載用に限定されず、他の用途にも使用可能である。
【００１８】
【発明の効果】
以上説明したように、本発明の無線装置は、受信部におけるＡＳＫ復調データを利用して送信部における復調器を切り換えるのではなく、復調前のＡＳＫ信号を検出して復調部の復調器を切り換えるので、受信してから送信までの時間を短縮することができる。また、受信部からのＡＳＫ信号検出フラグに基づいて送信部の切換器を動作させて変調器を切り換えるので、従来よりも切換器の数を少なくすることができ、回路の簡素化を図ることができる。
【図面の簡単な説明】
【図１】本発明の実施の形態１における車載無線装置の構成を示すブロック図
【図２】本発明の実施の形態２における車載無線装置の構成を示すブロック図
【図３】従来の車載無線装置の構成を示すブロック図
【符号の説明】
１  アンテナ
２  送受信切換器
３  ダウンコンバータ
３ａ  中間周波増幅器
４  ＡＳＫ復調器
５  第２ローカル発振器
６  ＱＰＳＫ復調器
７  Ｐ／Ｓ変換器
８  復調切換器
９  復調データ出力端子
１０  復調切換信号端子
１１  チャンネル切換信号端子
１２  第１ローカル発振器
１３  周波数切換器
１４  変調切換器
１５  変調データ入力端子
１６  変調切換器
１７  ＡＳＫ変調器
１８  変調ローカル発振器
１９  Ｓ／Ｐ変換器
２０  ＱＰＳＫ変調器
２１  変調切換器
２２  アップコンバータ
２３  送受切換信号端子
２４  ＡＳＫ信号検出器
２５  ＡＳＫ復調データ出力端子
２６  ＡＳＫ信号検出出力端子
２７  ＱＰＳＫ復調データ出力端子
【図１】
2004254159.tif 000003
【図２】
2004254159.tif 000004
【図３】
2004254159.tif 000005